(57)【要約】【課題】  従来の天井収納においては、害虫、ねずみ等、外部環境より収納物を守る手段がなく又、収納物の入れ方によっては天井と収納物が干渉し、収納物は地震等により荷崩れや昇降装置に支障をきたす可能性があった。加えて物入れ箱を付け替え可能とし金庫等その他の収納を可能とする。【解決手段】天井裏のスペース１へケース２を設置し物入れ箱３に収納物４を入れ電動の駆動装置５が動滑車の原理を利用して物入れ箱３を天井裏のケース２の中へ引き込む。天井裏のスペースと物入れ箱はケースによって隔てられ物入れ箱は収納物の荷崩れ等を防ぐと共に物入れ箱の底板１５はストッパー５により天井面と水平に保つようになっている。ケース下端１６は天井の加工を簡単にするため見切り材１７を設けている。物入れ箱は収納目的に応じ取り外し可能とし、金庫等その他の収納物と付け替えることができる。金庫等を収納する場合秘匿性、耐火性を持った構造とする。【選択図】図１
2007309065.tif 000002
【特許請求の範囲】
【請求項１】
天井裏のスペースを利用した物入れ箱を昇降させる。ケースと物入れ箱は箱型となっており天井裏のスペースへ動滑車の原理を利用した自動昇降装置により引き込まれた物入れ箱はケースの中へ収まる。収納物を箱形の物入れ箱に収納することで収納物が昇降時に荷崩れを起こす、昇降装置に干渉を起こす、収納物が落下する、などのトラブルを未然に防ぐことが出来る。加えて物入れ箱の出し入れの戸はメッシュ状又は格子状等になっており物入れ箱の中の収納物の状態を事前に確認できる。又、ケースは防火性能を持っており、収納物は天井裏のスペースと隔たりを持つことを特徴とする自動昇降機能つき天井物入れ箱。
【請求項２】
物入れ箱の底板は物入れ箱がケースへ引き込まれた際、天井面と同一面にするため、ケースにストッパーを設け、底板と接したときの緩衝材としてゴムパッキン等を設置することを特徴とした請求項１記載の自動昇降機能つき天井物入れ箱。
【請求項３】
ケースと建築構造体の固定を上面や側面と、建築物の状態に応じて対応できることを特徴とした請求項１記載の自動昇降機能つき天井物入れ箱。
【請求項４】
この自動昇降機能つき天井物入れ箱の天井裏への取り付けは必要部分のみの天井のボードやベニヤを切り欠くだけで済むようにケース下端に見切り材を設けた。それにより切断したボードやベニヤの小口の補修を必要としないことを特徴とした請求項１記載の自動昇降機能つき天井物入れ箱。
【請求項５】
物入れ箱は取り外し可能なアングルで昇降装置と接合されており、金庫等と脱着することを可能としケースの防火性能に加え、金庫の耐火性能により火災に対し二重の効力を持つ。金庫の底板は設備機器のフェースを取り付けカモフラージュを施し、ケースの中へ収まることにより秘匿性を高めることを特徴とした請求項１記載の自動昇降機能つき天井物入れ箱。
【発明の詳細な説明】
【技術分野】
【０００１】この発明は戸建住宅やマンション等の天井裏のスペースを有効に利用するための自動昇降機能つき天井物入れ箱に関するもの。
【背景技術】
【０００２】ワイヤーを用いた昇降装置が棚板を動かすという前例が知られている。（例、特許文献１参照）。天井取り付け機器と収納を兼用している物もある。（例、非特許文献２参照）。
【特許文献１】特許出願平９−１０６４９２
【特許文献２】特許出願２００２−１７６４２３
【発明の開示】
【発明が解決しようとする課題】
【０００３】従来の天井収納においては外部環境より収納物を守る手段がなく又、天井収納板に載置した収納物が昇降時に荷崩れを起こす、昇降装置に干渉を起こす、収納物が落下する、昇降装置に引っ掛かる等のトラブルが起こる可能性が考えられる為、その改善策を講じる。又、より簡単に天井裏のスペースへ取り付けが行える機構のものとし、天井面と物入れ箱の底板を同一面にそろえ、加えて物入れ箱を付け替え可能とし金庫等その他の収納を可能とする。
【課題を解決するための手段】
【０００４】上記課題を解決する為本発明では物入れ箱３を箱型とし収納物４の定量を設定する。箱内に収納物が収められることにより収納物が昇降時に荷崩れを起こす、収納物が落下する、昇降装置２と収納物が干渉し昇降装置に引っ掛かる等のトラブルを未然に防ぐ、ことができる。又物入れ箱の一方向を戸１４とし、戸はメッシュ状で物入れ箱の中が見え収納物の状態を確認でき又、事前の安全確認にも有効に働く。【０００５】ケース２に物入れ箱３の上昇に対してストッパー５を設け、ストッパーには緩衝材６を設ける。このことにより天井面と物入れ箱の底板は同一高さで収まることができるようになる。【０００６】ケース下端１６に見切り材１７を設け、この見切り材がケースの外側へ出ていることにより、天井面と装置の取り合いを隠すことが出来き、天井面はケースの必用寸法だけ切り欠きそこにケースをはめ込むだけで、切り欠いた部分の補修などは必要なくなる。【０００７】物入れ箱３と昇降装置の接合部分７が取り外し可能となっており、金庫と付け替えることにより財産を秘匿性を持って保管できるようになる。
【発明の効果】
【０００８】以上のことからこの発明の効果は天井裏のスペースより自動降下してきた物入れ箱３へ収納物４を入れ、その後自動上昇し天井裏のスペースへ戻るという一連の動きを、取り付けられたスイッチ７で行い、又、金庫利用のときスイッチ又は操作盤２１は防犯機能を備えた機能を持ち、セキュリティの向上を計る。収納物を安全に保ち、天井面と物入れ箱の底板の取り合いを同一面にするとともに、施工を容易にし従来の戸建住宅やマンション等では活用されなった天井裏のスペースを有効に活用出来るようになる。
【発明を実施するための最良の形態】
【０００９】この発明の実施形態を以下図１〜５に基づいて説明する。天井裏のスペースに駆動装置と一体になったケースが設置されており、その駆動装置により物入れ箱が降下し、物入れ箱のふたを開け収納物を入れ、自動昇降機能で上昇しケースの中へ収まる一連の構成がされている。
【実施例】
【００１０】図１のケース２は防火性能を持った構造とし、重量物の昇降による加重に耐え得る為ケース内にアングル８を固定し建築構造体９とアンカー、ビス等１０で固定する。その際ケースに固定されている駆動部分１２の振動がアンカー、ビス等の固定を緩める等のトラブルを避けるためアングル部分にゴムパッキン等１２を緩衝材として設ける。ゴムパッキン等は建築構造体の多少の凹凸を緩衝し、地震等の震動も軽減する。更にケースの水平を保つ役割も備える。【００１１】図１の建築構造体との固定部分を上部のみに限らず、側面へも固定可能とするためケース側面にアンカー、ビス等を打ち込む穴１３を等間隔で設ける。【００１２】図３の物入れ箱３も箱状の形状をしており収納物４が昇降装置５へ引っかかる等の機能へ障害をきたす事を未然に防ぐことができる。物入れ箱の一方向を開閉可能な戸１４とし、戸はメッシュ状または格子状で物入れ箱の中が見え収納物の状態を確認でき又、事前の安全確認にも有効に働く。【００１３】図５による物入れ箱３が天井裏のスペース１に収まった時にはストッパー５により底板１５は止まる。ストッパーは底板が天井面と同一になる位置でケースに固定され、緩衝材としてゴムパッキン等６を設ける。緩衝材は底板の微調整を可能としている。ケースへ引き込まれた物入れ箱はフック等（図示せず）によりケースに固定され地震等による振動に対して安全な機構とする。【００１４】物入れ箱は昇降の際には常にガイドレール図２０に沿っておりガイドレールに沿うことにより昇降の際のゆれを軽減しスムーズに動作が行われる機構となっている。又駆動部分１２はメンテナンス等を容易にするため取り外し可能となっている。【００１５】図５によるケース下端１６には見切り材１７を設け、この見切り材がケースの外側へ出ていることにより、天井面と装置の取り合いを隠すことが出来る。天井面はケースの必用寸法だけ切り欠きそこにケースをはめ込むだけでケースは取り付けができ、切り欠いた部分の補修などは必要なく施工を容易にしている。【００１６】図１の物入れ箱３は取り外し可能なアングル７で昇降装置５と接合されている。アングルと物入れ箱はビス等で接合されており金庫と入れ替えることで、金庫を収納するという機能になる。図６の金庫１９自体は耐火性能を持っており、ケース２も防火性能を持っているので火災に対し二重の効力を持つ。金庫の底板２０は設降装置５は隠蔽し用意に切断、加工等ができない機構とし、金庫は天井から完全に出てきた状態でないと付け替えはできない構造とする。見た目には天井に設備機器が設置されているように見える。天井内に収納された金庫は秘匿性を持つことによって防犯上の安全性を高める。
【産業上の利用可能性】
【００１７】戸建住宅やマンションなどは天井裏を設備スペースとして捉えている。しかしながら実際に天井裏に設備機器、配管、ダクトが占める面積は天井裏の面積の二分の一に満たない。それ以外のデッドスペースを部屋の内部にあった収納スペースとして利用する。居住面積は還元され、金庫としての利用は生活に防犯面における安心をもたらす。
【図面の簡単な説明】
【００１８】
【図１】本発明の正面断面図で物入れ箱降下時。
【図２】本発明の正面断面図で物入れ箱収納時。
【図３】本発明の側面断面図で物入れ箱降下時。
【図４】底板端部の拡大図。
【図５】本発明の正面断面図で金庫として使用時。
【符号の説明】
【００１９】１天井裏のスペース
２ケース
３物入れ箱
４収納物
５ストッパー
６緩衝材
７スイッチ
８アングル
９建築構造体
１０アンカー、ビス等
１１緩衝材
１２駆動部分
１３アンカー、ビス等
１４物入れ箱の戸
１５底板
１６ケース下端
１７見切り材
１８設備フェース
１９金庫
２０ガイドレール
２１スイッチ又は操作盤
【図１】
2007309065.tif 000003
【図２】
2007309065.tif 000004
【図３】
2007309065.tif 000005
【図４】
2007309065.tif 000006
【図５】
2007309065.tif 000007